(57)【特許請求の範囲】
【請求項１】
パスワードを記憶する記憶部と、
前記パスワードの入力画面を表示する表示部と、
タッチ入力を受け付けるタッチ入力受付部と、
前記タッチ入力受付部によって受け付けられたタッチ入力に基づくパスワードが、前記記憶部によって記憶されたパスワードに一致する場合に、前記パスワードの入力画面を他の画面に切り替える処理を実行する制御部と
を備え、
前記パスワードの入力画面は、文字を選択するための文字選択領域を含み、
前記パスワードは、複数桁の文字であって、前記パスワードの入力は、前記文字選択領域における文字をタッチし、当該タッチを前記複数桁の各桁に対応する方向に移動させることを含み、
前記制御部は、前記複数桁の各桁の文字の入力順序に関わらず、入力された前記複数桁の文字が前記記憶部によって記憶されたパスワードに一致する場合に、前記処理を実行する入力装置。
【請求項２】
前記複数桁のうち所定の桁数の文字が入力されると、前記複数桁の各桁に対応する方向が変更される、請求項１に記載の入力装置。
【請求項３】
前記記憶部は、前記複数桁の各桁に対応する方向に移動させる移動操作の種類を前記パスワードとしてさらに記憶し、
前記制御部は、前記パスワードの各桁における文字が入力される際の移動操作の種類が、前記記憶部に記憶された、当該文字が入力される桁に対応する移動操作の種類と異なる場合に、前記処理を実行しない、請求項１又は請求項２に記載の入力装置。
【請求項４】
パスワードの入力画面を表示する表示ステップと、
タッチ入力を受け付けるタッチ入力受付ステップと、
前記タッチ入力受付ステップにおいて受け付けられたタッチ入力に基づくパスワードが、所定のパスワードに一致する場合に、前記パスワードの入力画面を他の画面に切り替える処理を実行する制御ステップと
を備え、
前記パスワードの入力画面は、文字を選択するための文字選択領域を含み、
前記パスワードは、複数桁の文字であって、前記パスワードの入力は、前記文字選択領域における文字をタッチし、当該タッチを記複数桁の各桁に対応する方向に移動させるこ
とを含み、
前記制御ステップは、前記複数桁の各桁の文字の入力順序に関わらず、入力された前記複数桁の文字が前記所定のパスワードに一致する場合に、前記処理を実行する、入力方法。
【発明の詳細な説明】
【技術分野】
【０００１】
本発明は、例えば、携帯電話機やＰＤＡ（Personal Digital Assistant）、タブレットＰＣ（Tablet Personal Computer）、電子書籍端末、携帯ゲーム機等の入力装置および入力方法に関するものである。
【背景技術】
【０００２】
従来から携帯端末装置においてセキュリティ確保のためのパスワードの設定、解除に関して様々な技術が提案されている。例えば特許文献１にはタッチパネルを押した回数によりパスワードを解除する技術が提案されている。
【先行技術文献】
【特許文献】
【０００３】
【特許文献１】特開２００６−７４５８２公報
【発明の概要】
【発明が解決しようとする課題】
【０００４】
さて、携帯端末装置のパスワードの設定、解除には、セキュリティ性を向上させることに加えて、ユーザーにわかりやすい直感的に操作できることも望まれている。
【０００５】
そこで、本発明は上述の点に鑑みて成されたものであり、入力装置のセキュリティ性と操作性を向上することが可能な技術の提供を目的とする。
【課題を解決するための手段】
【０００６】
上記した課題を解決する本発明の実施例について説明する。本発明に係る第１の態様の入力装置は、表示部と、タッチ入力を受け付けるタッチ入力受付部と、パスワードを設定する設定部と、前記設定部によりパスワードが設定されている場合、前記パスワードの桁番号を選択するための桁選択領域と、少なくとも数字を含む文字を選択するための文字選択領域とを表示する制御を実行する表示制御部と、前記設定部により設定されたパスワードと、前記タッチ入力部から受け付けた入力が一致するか否かを判断する判断部と、前記パスワードは、前記文字入力領域より選択した文字を所定の桁番号へ入力するタッチ操作を含み、前記判断部により、前記設定部により設定されたパスワードと、前記タッチ入力部から受け付けた文字の入力、及び、タッチ操作とが一致すると判断された場合、前記パスワードを解除する処理を実行する実行部を備えることを特徴とする。
【０００７】
本発明に係る第１の態様の入力装置はさらに、前記文字入力領域より選択した文字を所定の桁番号へ入力するタッチ操作には、スライド操作もしくはフリック操作の少なくとも一方を含む。
【０００８】
本発明に係る第１の態様の入力装置はさらに、前記設定部はさらに、前記タッチ入力受付部よりタッチ入力を受け付ける桁番号の順番を設定し、前記判断部は、前記設定部に設定されたパスワードと、前記タッチ入力受付部よりタッチ入力を受け付ける桁番号の順番とが一致したか否かを判断する。
【０００９】
本発明に係る第１の態様の入力装置はさらに、１つの文字が入力されると前記桁選択領域内の桁番号の位置を変更する。
【００１０】
本発明に係る第１の態様の入力装置はさらに、１つの文字が入力されると前記桁選択領
域内の桁番号の位置を変更する。
【発明の効果】
【００１１】
本発明の一態様によれば、セキュリティ性と操作性を向上させた入力装置を提供することができる。
【００１２】
本発明の効果ないし意義は、以下に示す実施の説明により明らかとなろう。ただし以下の実施の形態は、あくまでも本発明を実施化する際の一つの例示であって、本発明は、以下の発明の実施の形態に記載されたものになんら制限を受けるものではない。
【図面の簡単な説明】
【００１３】
【図１】実施の形態に係る携帯端末装置１００の外観図である。
【図２】実施の形態に係る携帯端末装置１００のブロック構成図である。
【図３】実施の形態に係るパスワード設定プログラム３４０のフローチャートである。
【図４】実施の形態に係るパスワード認証実行プログラム３５０のフローチャートである。
【図５】実施の形態に係るパスワード認証実行プログラム３５０のフローチャートである。
【図６】実施の形態に係るパスワード入力画面の表示の一例である。
【図７】実施の形態に係るパスワード入力画面の操作の一例である。
【図８】実施の形態に係るパスワード入力画面の操作の一例である。
【発明を実施するための形態】
【００１４】
本発明の実施の形態に係る入力装置は、少なくとも文字と、文字を入力するための所定のタッチ操作を含むパスワードを予め設定する。そして、パスワードが設定されている場合、予め設定されたパスワードと一致する文字と文字を選択するためのタッチ操作により行われると、パスワードを解除する。当該技術によれば、直感的な操作で、かつ、セキュリティ性の高いパスワードの設定、解除を行うことができる。以下の実施例では本発明の入力装置の一例である携帯端末装置について説明する。本発明の具体的な実施例について図１〜図８を用いて説明する。
【００１５】
〔構成〕
図１〜図２を用いて本発明の実施の一例である携帯端末装置１００が備える構成について説明する。
【００１６】
図１は、携帯端末装置１００の外観図である。図１（１）は携帯端末装置１００の正面図であり、図１（２）は携帯端末装置１００の背面図である。図１に示す携帯端末装置１００の外観には、表示部１１０、タッチ入力部１２０、キー入力部１３０、音出力部１４０、音入力部１５０、発光部１６０が備えられている。
【００１７】
表示部１１０は、カラー表示を行うバックライト方式の液晶ディスプレイで構成され、液晶パネルと当該液晶パネルに光を照射するためにバックライトを備える。表示部１１０は制御部２３０から入力された制御信号に基づき文字、図形、記号、画像などの各種情報を表示する。表示部１１０は液晶ディスプレイ以外に限らず、例えば、有機ＥＬディスプレイであってもよいし複数のＬＥＤがマトリックス上に配列されたディスプレイであってもよい。
【００１８】
タッチ入力部１２０は、表示部１１０の表示画面上に配され、ユーザーからのタッチ操作を受け付ける。タッチ入力部１２０は、受け付けたタッチ操作を入力信号として制御部
２３０に出力する。
【００１９】
キー入力部１３０は、携帯端末装置１００の複数個所に設けられ、キー入力部１３０（１）、(２)、(３)はユーザーからの操作を受け付ける。キー入力部１３０（１）、(２)、(３)が受け付けた入力は、入力信号として制御部２３０に出力される。キー入力部１３０（１）、（２）は、例えば、音量の調整、表示部１１０の輝度の調整、電源のオンオフの切り替えを行うための入力を受け付けるキーである。キー入力部１３０(３)は、例えば、表示部１１０に表示された画面を切り換えるためのキーである。以後、キー入力部１３０（１）、（２）、（３）を特に区別する必要がない場合にはまとめて「キー入力部１３０」と呼ぶ。
【００２０】
音出力部１４０は、スピーカなどで構成され信号処理部２１０から出力されたアナログ信号に基づき外部に音を出力する機能を有する。
【００２１】
音入力部１５０は、マイクなどで構成され音声などの外部からの音をアナログ信号に変換して信号処理部２１０に出力する機能を有する。
【００２２】
発光部１６０は、ＬＥＤなどの発光素子により構成される。発光部１６０は制御部２３０から出力された制御信号によって外部へ光を照射する。発光部１６０は、電話の着信、メールの受信、アラーム日時到来などを、外部へ光を照射することにより報知する。
【００２３】
図２は、携帯端末装置１００のブロック構成図である。図２に示す携帯端末装置１００は、タッチパネル１７０、タッチ入力部１２０、キー入力部１３０、アンテナ部１８０、無線部１９０、振動部２００、信号処理部２１０、音出力部１４０、音入力部１５０、発光部１６０、制御部２３０、記憶部２４０、電源部２２０により構成される。
【００２４】
図２に図示された構成について説明する。なお、図１に図示された構成と重複する構成については説明を省略する。
【００２５】
アンテナ部１８０は、所定の周波数の電磁波を受信して高周波信号として無線部１９０に出力する。また無線部１９０より出力された高周波信号を所定の周波数の電磁波として基地局へ出力する。
【００２６】
無線部１９０は、他携帯端末や基地局と無線通信を行う。無線部１９０はアンテナ部１８０から入力された所定の高周波信号に復調処理、及び、復号処理を施してデジタルの音声信号へと変換する。また、無線部１９０は、制御部２３０から入力されたデジタルの音声信号に符号化処理、及び、変調処理を行い高周波信号に変換してアンテナ部１８０へ出力する。さらに、本実施例の携帯端末装置１００は、メール機能を有しており、無線部１９０を介して他の携帯端末などとメールの送受信を行う。
【００２７】
振動部２００は、モーターによって構成され、制御部２３０から出力された制御信号によって機械的振動を生じさせる。振動部２００は、例えば、電話の着信、メールの受信、アラーム日時到来などを機械的振動によって報知する。
【００２８】
信号処理部２１０は、制御部２３０から出力されたデジタル信号をアナログ信号に変換して、変換したアナログ信号を音出力部１４０へ出力する。さらに、信号処理部２１０は音入力部１５０より入力されたアナログ信号をデジタル信号に変換して制御部２３０へ出力する。
【００２９】
電源部２２０は、リチウムイオン電池などの充放電可能な電池によって構成される。電
源部２２０は携帯端末装置１００へ電力を供給する。
【００３０】
制御部２３０は、ＣＰＵ及びＤＳＰなどで構成される。制御部２３０は携帯端末装置１００に備えられた各構成要素を制御することによって携帯端末装置１００を統括的に管理して、各種機能を実行する。例えば、制御部２３０は、キー入力部１３０、または、タッチ入力部１２０が受け付けた入力に基づいて、携帯端末装置１００に備えられたパスワード設定機能、パスワード認証機能、メール機能、電話機能、アラーム報知機能などを実行する。さらに制御部２３０は、記憶部２４０に記憶されたプログラムを実行する。
【００３１】
記憶部２４０は、ＲＯＭ（Read Only Memory）、及び、ＲＡＭ（Random Access Memory）で構成される。記憶部２４０には、携帯端末装置１００で実行されるプログラムや、表示部１１０に表示される画像の情報などが記憶される。以下に記憶部２４０が有する特徴的な構成を説明する。
【００３２】
記憶部２４０にはプログラム記憶領域３２０と処理情報記憶領域３３０が備えられている。プログラム記憶領域３２０には、携帯端末装置１００にて実行されるプログラムが記憶されている。処理情報記憶領域３３０には、プログラムが実行された場合に処理される各種情報（下記にて説明）が記憶される。以後、プログラム記憶領域３２０と処理情報記憶領域３３０を区別しない場合はまとめて「記憶部２４０」ということにする。プログラム記憶領域３２０には、例えば、音声通信を行うためのプログラム、ウェブサイトを表示するためのブラウザ、メールの作成、表示、および、送受信を行うためのメールプログラム等が記憶されている。さらに記憶部２４０には、本発明に係る特徴的なプログラムとして、メールやアラームの報知方法を設定するためのパスワード設定プログラム３４０（図３）、設定されたパスワードに基づき、入力されたパスワードの認証を行うためのパスワード認証実行プログラム３５０（図４、５）が記憶されている。
【００３３】
処理情報記憶領域３３０にはパスワード記憶部３７０、表示情報記憶部３８０が備えられる。
【００３４】
パスワード記憶部３７０には、パスワード設定プログラム３４０により設定されたパスワードが記憶される。
【００３５】
表示情報記憶部３８０には、図６、図８、図９に示すように、プログラム記憶領域３２０に記憶されたプログラムが実行された際に表示部１１０に表示される情報が記憶される。
【００３６】
ここで、制御部２３０がプログラム記憶領域３２０に記憶されたプログラムを実行するために備える構成について説明する。
【００３７】
実行部２５０は、記憶部２４０に記憶されたプログラムを実行する。以下では実行２５０が実行するパスワード設定プログラム３４０（図３）、および、パスワード認証実行プログラム３５０（図４、図５）について説明する。
【００３８】
実行部２５０は、パスワード設定プログラム３４０を実行し、パスワードを設定する。パスワード設定プログラム３４０が実行されることにより設定されたパスワードはパスワード記憶部３７０に記憶される。パスワード設定プログラム３４０が実行された場合、図６に示す画面が表示部１１０に表示される。当該画面にはパスワードの入力候補の文字が表示された文字表示領域４００、文字表示領域４００の周囲にはパスワードの桁が表示された桁表示領域４１０、そして、入力されたパスワードを表示するパスワード表示領域４２０が含まれている。パスワードの入力手順について図７を用いて説明する。まず、ユー
ザーが文字表示領域４００に表示された文字より１つの文字をタッチして選択する（図７（１））。そして、タッチを継続したまま桁表示領域４１０のいずれか１つへ移動させ、指をリリースする。指がリリースされると選択した文字が、桁表示領域４１０で選択した桁に対応するパスワード表示領域４２０の桁へと表示される（図７（２））。具体的には、図７（２）に示す状態は、文字表示領域４００で８を選択し、桁表示領域４１０でIIを選択したため、パスワード表示領域４２０のIIに対応する位置に８が表示された状態である。
【００３９】
上記では文字表示領域４００で選択した文字を桁表示領域４１０に移動した後にリリースすることで所定の文字がパスワードとして設定されることとした。しかしながら、ユーザーが文字表示領域４００で選択した文字が桁表示領域４１０の方向へフリックされることで、フリック方向に対応する桁表示領域４１０に表示された所定の桁へ、選択された文字が入力されることとしてもよい。上記仕様によれば、選択した文字を桁表示領域４１０へ移動することなく、桁表示領域に割り当てられた方向へ操作することで所定の文字をパスワードとして選択することができる。そのためユーザーのパスワード入力の利便性を向上させることができる効果を奏する。
【００４０】
さらに、パスワードとして、所定の文字をスライドにより入力したかもしくはフリックにより入力したかをパスワードとしてパスワード記憶部３７０に記憶しておくこととしてもよい。そのような場合、表示制御部２７０はスライドによる入力かフリックによる入力かを判別するための情報を表示部１１０に表示するよう制御する。具体的な例を図８（１）に示す。表示制御部２７０、文字がフリックで入力された場合は、パスワード表示領域付近に●（黒丸）４３０を表示する制御を実行する。対してスライドによる入力が行われた場合は、特定の表示を行わないこととしてもよい。なお、●（黒丸）４３０を表示する制御を実行することは一例であり、スライドとフリックによる入力が区別できる表示態様であればいずれの対応で表示することとしてもよい。具体的には、表示制御部２７０は、フリックによる入力であれば、入力された文字や、文字が入力されたパスワード表示領域４２０のうちの所定の桁を、他の桁と異なる色によって表示させる、または、太字で強調して表示させることとしてもよい。
【００４１】
文字表示領域４００で選択された文字の入力は、入力部より桁表示領域４１０以外の位置で、フリックとならないように指をリリース（例えば、現在タッチパネル１７０上でタッチしている位置で指をリリース）する入力が受け付けられると選択をキャンセルすることとしてもよい。このような構成とすることにより、ユーザーは誤った文字をパスワードとして選択した場合であっても、手間を掛けることなく再度パスワードの入力を行うことができる効果を奏する。
【００４２】
次に実行部２５０が実行するパスワード認証実行プログラム３５０について説明する。パスワード認証実行プログラム３５０は、例えば携帯端末装置１００の電源がＯＮにされた場合に実行される。また、予め設定された通常よりも高いセキュリティ性を確保することが必要とされる機能が実行された場合に実行される。
【００４３】
パスワード認証実行プログラム３５０が実行されると、図７（１）の画面が表示部１１０に表示される。その後、タッチ入力部１２０から受け付けた入力に基づきパスワードを表示部１１０上のパスワード表示領域４２０に表示する。パスワードが所定桁数入力されると、パスワード記憶部３７０に予め記憶された少なくとも文字とタッチ操作の種別を含むパスワードとの認証を行う。そこでパスワードの入力結果とパスワード記憶部２４０に記憶されたパスワードとが一致すればパスワードを解除する。一致しなければパスワードが認証できない旨を通知すると共に再度パスワードの入力画面に戻る。上記処理中において桁表示領域４１０に表示された桁の配置を文字が１つ入力されるごとに変更することと
する。このような構成によれば、パスワードにより定まるパスワード入力の操作パターンが、桁表示領域の配置が文字入力のたびに変更されることにより予め定められた操作パターンとならず、文字の入力のたびに異なる操作パターンとなる。よって、パスワードのセキュリティ性を向上させることができる。
【００４４】
判断部２６０は、入力部より受け付けられた入力の種別を判断する。例えば、判断部２６０は、ユーザーより受け付けた入力がパスワード設定プログラム３４０を開始するための入力であるか、パスワードを入力するための入力であるか、その他、携帯端末装置１００に備えられた所定の機能を実行するための入力であるかなどを判断する。
【００４５】
表示制御部は、実行部２５０が実行するプログラムに基づき、表示部１１０に表示する画面を含む表示情報を制御する。例えば表示制御部は、実行部２５０によりパスワード設定プログラム３４０が実行されると図６に示す画面を表示部１１０に表示する。
〔処理の流れ〕
次に、実行部２５０が実行するパスワード設定プログラム３４０について図３のフローチャートに基づき説明する。
【００４６】
はじめに、入力部よりパスワード設定を行うための入力が行われた場合、実行部２５０がパスワード設定プログラム３４０を実行し、図６に示すようなパスワード入力画面を表示部１１０に表示する（Ｓ１００）。
【００４７】
次に判断部２６０は、入力部が受け付けた入力が、文字を桁表示領域４１０上へ移動させる操作か否かを判断する（Ｓ１１０）。
【００４８】
判断部２６０が、入力部が受け付けた入力が、文字を桁表示領域４１０上へ移動させる操作でないと判断した場合（Ｓ１１０：Ｎｏ）、文字を桁表示領域４１０上へ移動させる操作があるまで待機する。
【００４９】
一方、判断部２６０は、入力部が受け付けた入力が、文字を桁表示領域４１０上へ移動させる操作であると判断した場合（Ｓ１１０：Ｙｅｓ）、実行部２５０は選択した文字を、選択した桁表示領域４１０に対応するパスワード表示領域４２０中の桁へ設定するとともに（Ｓ１２０）、結果をパスワード表示領域４２０に表示する。
【００５０】
次に、判断部２６０はパスワード表示領域４２０に所定の桁数のパスワードが入力されたか否かを判断する（Ｓ１４０）。
【００５１】
判断部２６０がパスワード表示領域４２０に所定の桁数のパスワードが入力されていないと判断した場合（Ｓ１４０：Ｎｏ）、実行部２５０はＳ１００の処理を再度行う。
【００５２】
一方、判断部２６０がパスワード表示領域４２０に所定の桁数のパスワードが入力されたと判断した場合（Ｓ１４０：Ｙｅｓ）、実行部２５０は図８（２）に示すような確認メッセージを表示部１１０に表示させる。そして、入力部よりパスワードの設定が完了しているとの入力（画面中のＯＫを選択する入力）があれば、パスワード設定プログラム３４０を終了させ、完了していない（画面中のＮｏを選択する入力）ならば、再度Ｓ１００の処理を実行する。
【００５３】
次に実行部２５０が実行する図４、図５に示すパスワード認証実行プログラム３５０について説明する。
【００５４】
パスワード認証実行プログラム３５０ではまず、判断部２６０がパスワード記憶部３７
０にパスワードが設定されているか否かを判断する（Ｓ２００）。判断部２６０がパスワード記憶部３７０にパスワードが設定されていると判断した場合は（Ｓ２００：Ｙｅｓ）、実行部２５０は図５に示す認証処理を実行する（Ｓ２１０）。一方、判断部２６０がパスワード記憶部３７０にパスワードが設定されていないと判断した場合（Ｓ２００：Ｎｏ）、実行部２５０はパスワード解除後の画面を表示部１１０に表示させ、パスワード認証実行プログラム３５０を終了させる。
【００５５】
図５に示す認証処理について説明する。実行部２５０によりＳ２１０の処理が実行されると、図３のＳ１００〜１３０に対応する処理を実行する。なお、Ｓ３００の処理はＳ１００、Ｓ３１０の処理はＳ１１０、Ｓ３２０の処理はＳ１２０、Ｓ３３０の処理はＳ１３０に対応するための説明を省略する。
【００５６】
実行部２５０はＳ３３０の処理後、表示部１１０上の桁表示領域４１０の表示を変更する。例えば、実行部２５０は桁表示領域４１０の各領域に割り当てられる桁の位置を入れ換える処理を実行する。
【００５７】
次に、判断部２６０はパスワード表示領域４２０に所定の桁数のパスワードが入力されたか否かを判断する（Ｓ３５０）。
【００５８】
判断部２６０がパスワード表示領域４２０に所定の桁数のパスワードが入力されていないと判断した場合は（Ｓ３５０：Ｎｏ）、Ｓ１００の処理を再度行う。
【００５９】
一方、判断部２６０がパスワード表示領域４２０に所定の桁数のパスワードが入力されたと判断した場合（Ｓ３５０：Ｙｅｓ）、判断部２６０は入力されたパスワードがパスワード記憶部３７０に記憶されたパスワードと一致するか否かを判断する（Ｓ３６０）。
【００６０】
判断部２６０により入力されたパスワードがパスワード記憶部３７０に記憶されたパスワードと一致したと判断された場合、実行部２５０は、パスワードが誤っていることを通知した後（Ｓ３６５）、Ｓ３００の処理を再度実行して、一致したときはパスワードを解除する（Ｓ３７０）。
【００６１】
〔その他の実施例〕
その他の実施例について以下に説明する。
【００６２】
本発明は、図１に示すようなストレート型の携帯端末装置１００に限られず、タッチパネル１７０が備えられた折り畳み型の携帯端末装置１００やスライド型の携帯端末に適用することとしてもよい。
【００６３】
上記した実施例では１桁入力するごとに桁表示領域４１０の表示を変更することとした。しかしながら、１桁ごとでなくても例えば２桁ごとなど所定の桁数を入力するごとに桁表示領域４１０の表示を変更することとしてもよい。さらに文字表示領域４００の表示を変更することとしてもよい。具体的には文字表示領域４００に表示される文字の配列を変更することとしてもよい。上記を組み合わせて、桁表示領域４１０と文字表示領域４００の両方の表示を変更することとしてもよい。上記実施例によれば、パスワードの入力が予め定めたパスワードにより定まる所定の操作パターンとならないことからパスワードのセキュリティ性を向上させることができる効果を奏する。
【００６４】
また、本実施例で説明した複数のプログラムは、データ配信用のサーバのＨＤＤに記憶され、ネットワークを介して携帯端末装置１００に配信されてもよい。また、ＣＤ，ＤＶＤ，ＢＤ（Ｂｌｕ−ｒａｙ（登録商標）Ｄｉｓｃ）などの光学ディスク、ＵＳＢメモリお
よびメモリカードなどの記憶媒体に複数のプログラムを記憶させた状態で、その記憶媒体が販売または配布されてもよい。そして、上記したサーバや記憶媒体などを通じてダウンロードされた、当該複数のプログラムが本実施例と同等の構成を備える電子文書端末にインストールされた場合、本実施例と同等の効果が得られる。
【００６５】
さらに、本実施例は、上記実施例に限らず、いわゆるスマートフォンやＰＤＡ（Ｐｅｒｓｏｎａｌ  Ｄｉｇｉｔａｌ  Ａｓｓｉｓｔａｎｔ）やノートブック型ＰＣなどに適用されてもよい。
【符号の説明】
【００６６】
携帯端末装置１００
表示部１１０
タッチ入力部１２０
キー入力部１３０
音出力部１４０
音入力部１５０
発光部１６０
タッチパネル１７０
アンテナ部１８０
無線部１９０
振動部２００
信号処理部２１０
電源部２２０
制御部２３０
記憶部２４０
実行部２５０
判断部２６０
表示制御部２７０
プログラム記憶領域３２０
処理情報記憶領域３３０
パスワード設定プログラム３４０
パスワード認証実行プログラム３５０
パスワード記憶部３７０
表示情報記憶部３８０
文字表示領域４００
桁表示領域４１０
パスワード表示領域４２０ 
【図１】
0005934401.tif 000002
【図２】
0005934401.tif 000003
【図３】
0005934401.tif 000004
【図４】
0005934401.tif 000005
【図５】
0005934401.tif 000006
【図６】
0005934401.tif 000007
【図７】
0005934401.tif 000008
【図８】
0005934401.tif 000009